【事件の表示】
　平成９年特許願第２３０８号「ワンピースオストミー器具」拒絶査定不服審判事件〔平成９年８月２６日出願公開、特開平９−２２０２４７号〕について、次のとおり審決する。
【結　論】
　本件審判の請求は、成り立たない。
【理　由】
１．手続の経緯・本願発明
　本願は、平成９年１月９日（パリ条約による優先権主張１９９６年２月１４日、米国）の出願であって、その請求項１〜１１に係る発明は、特許請求の範囲の請求項１〜１１に記載された事項により特定されるとおりのものと認められるところ、その請求項１に記載された発明は次のとおりである。（以下、「本願発明」という。）　
　「熱可塑性フィルムの側壁部を備え、且つ前記側壁部の一つに瘻部を受け入れる開口部を備えた収集パウチ；患者に接着的に取り付けられる軟らかく柔軟性があり、且つ前記パウチの開口部と整合した瘻部を受け入れる開口部を有する接着性の面板；前記パウチおよび面板の瘻部を受け入れる開口部と整合した開口部を有し、且つ前記面板と面する第１表面および前記パウチと面する対向第２表面を有する、比較的剛性のある熱可塑性圧力リング；を備えたワンピースオストミー器具であって、
　前記面板は接着性の身体側層および柔軟性のある背部層を有し；前記圧力リングの第１表面は、前記圧力リングの開口部の直近を囲む凸状の環状部分を有し、且つ前記第１表面は前記面板と係合し、面板の環状部分を前記圧力リングの凸状部により維持し；前記圧力リングの前記第１表面は、前記面板の背部層に直接に第１環状取り付け領域に沿ってシール的に固定され、且つ前記圧力リングの第２表面は、前記パウチの瘻部を受け入れる開口部の周囲に直接に第２環状取り付け領域に沿ってシール的に固定されるワンピースオストミー器具。」
　
２．引用例
　これに対して、原査定の拒絶の理由に引用した、本願の優先権主張の日前に頒布された、特開平３−９９６５９号公報（以下、「引用例」という。）には、人工肛門装置及びその製造方法（発明の名称）に関し、第１〜１１図と共に、
　「第１，２及び３図は、全体にＡで示された袋またはバッグと、全体にＢで示されて射出成形された実質的に硬質若しくは半硬質の環状の本発明の凹面状フェイスプレートディスクとを含む人工肛門装置の好適な第１実施例を示している。この実施例においては、袋Ａは熱融着によってディスクＢに完全に接続されている。ディスクＢは、ポリエチレン、ポリエチレン−エチレン・ビニル・アセテートの混合物等によって製作されるのが好ましい。塗布された粘着剤層はディスクＢの頂部に配置され、そして粘着剤層は、全体にＣで示された保護プラスチックシールドによって、船積みや取り扱いの際に保護される。袋Ａは、閉じられた容器を形成するように、周縁部１４に沿って熱融着された薄い柔軟なフィルム製の前面壁１０および背面壁１２を有している。」（第５頁右上欄第７行〜左下欄第２行）、
　「凹面状ディスクの下面が環状ボンドを形成する袋Ａに融着される。凹面状ディスクＢは、第２図に見られるように、袋の壁に融着するのを容易にするために、実質的に平坦な下面を有している。カラーＢの上面は、実質的に平面状の周縁部分３０と、袋Ａ内の入口開口２０よりも幾分小さい中央開口３４を備えた凹面状中央部分３２を有する。ディスクＢの頂部に設けられているのは粘着性ウェーファ３６であり、それはディスクＢの上面の形状と正確に同一の形状を有している。粘着剤層３６は、人間の皮膚上に用いられるのに適切、かつ、器具の重量を支えられるどのような感圧粘着剤も用いられる。好ましくは、粘着剤はエラストメリック物質により構成される。」（第６頁左上欄第１９行〜右上欄第１３行）と記載されており、
　その第２図には、袋Ａの入口開口２０の周囲部分において、ディスクＢの下面と、袋の背面壁１２とがシート１８を介して融着しており、また、袋Ａ内の入口開口２０とディスクＢの開口３４と粘着性ウェーファ３６の開口が整合していることが示されている。ただし、第５頁左下欄第２０行〜右下欄第４行には、「ある場合には、患者の快適性を高めるために、袋の壁１２の外表面をライニングするためのフロッキング（ｆｌｏｃｋｉｎｇ）物質を用いることが好ましい。従って、フロッキング物質１８のシートは袋の壁１２の表面に隣接して示されている。」と記載されているから、フロッキング物質１８のシートを介さずにディスクＢの下面が袋Ａの壁と熱融着されることも記載されているといえる。
　上記記載及び図示事項を総合すると、引用例には、
　「硬質若しくは半硬質のポリエチレンからなるディスクＢと、周縁部において前面壁と背面壁が熱融着された袋Ａと、ディスクＢの上面形状と同じ形状の粘着性のウェーファ３６とを備えた人工肛門装置であって、
　上記ディスクＢは、実質的に平面状の周縁部分３０と、袋Ａ内の入口開口２０よりも幾分小さい中央開口３４を備えた凹面状中央部分３２を有し、該ディスクＢの平面状の周縁部分３０の一面に、上記袋Ａの背面壁１２の入口開口２０の周囲部分が直接融着され、また、そのディスクＢの、袋Ａと接する側と反対側に人間の皮膚と接する上記粘着性のウェーファ３６が設けられており、袋Ａの入口開口２０とディスクＢの中央開口３４と粘着性のウェーファ３６の開口が整合している人工肛門装置。」の発明（以下、「引用発明」という。）が記載されている。
　
３．対比
  本願発明と引用発明とを対比すると、後者の「袋Ａ」は、その前面壁と背面壁が熱融着するものであるから、熱可塑性フィルムで形成されていると認められ、その入口開口２０は瘻部を受け入れるものといえるから、前者の「熱可塑性フィルムの側壁部を備え、且つ前記側壁部の一つに瘻部を受け入れる開口部を備えた収集パウチ」に相当する。また、後者の「実質的に硬質若しくは半硬質のポリエチレンからなるディスクＢ」は、前者の「比較的剛性のある熱可塑性圧力リング」に相当する。また、後者の「人工肛門装置」は、袋ＡとディスクＢと粘着性のウェーファ３６とを一体的に取り付けたものであるから、「ワンピースオストミー器具」といえる。
　そして、後者のディスクＢの凹面状中央部分３２は、中央開口３４のすぐ近くを囲んで粘着性のウェーファ３６のある方向に凸状であり、ディスクＢはその方向の面で粘着性のウェーファ３６と環状に接触してシール的に固定されており、また、その他方の面でリング状の周縁部分が袋Ａの背面壁の開口部の周囲部分と熱融着によりシール的に固定されていると認められ、また、後者の「粘着性のウェーファ」と前者の「接着性の面板」は接着性の層材である点で共通するから、両者は、
  「熱可塑性フィルムの側壁部を備え、且つ前記側壁部の一つに瘻部を受け入れる開口部を備えた収集パウチ；患者に接着的に取り付けられる軟らかく柔軟性があり、且つ前記パウチの開口部と整合した瘻部を受け入れる開口部を有する接着性の層材；前記パウチおよび面板の瘻部を受け入れる開口部と整合した開口部を有し、且つ前記面板と面する第１表面および前記パウチと面する対向第２表面を有する、比較的剛性のある熱可塑性圧力リング；を備えたワンピースオストミー器具であって、
　前記圧力リングの第１表面は、前記圧力リングの開口部の直近を囲む凸状の環状部分を有し、且つ前記第１表面は前記面板と係合し、面板の環状部分を前記圧力リングの凸状部により維持し；前記圧力リングの前記第１表面は、前記接着性の層材に直接に第１環状取り付け領域に沿ってシール的に固定され、且つ前記圧力リングの第２表面は、前記パウチの瘻部を受け入れる開口部の周囲に直接に第２環状取り付け領域に沿ってシール的に固定されるワンピースオストミー器具。」である点で一致し、次の点で相違する。
　相違点：「接着性の層材」に関し、前者においては、「接着性の身体側層および柔軟性のある背部層」を有し、その背部層が圧力リングに固定されるのに対し、後者においては、単に「粘着性のウェーファ」が圧力リングに固定される点。
　
４．当審の判断
　上記相違点について検討すると、オストミー器具において、接着性の層材を２層にし、患者と接する部分である接着性の層の下に、クッションとして働く柔軟性のある層を設け、更にその層をホットメルトの接着により圧力リングに固定することは、従来より周知（例えば本願明細書に引用された米国特許第４８３４７３１号明細書参照）の技術手段であり、引用発明において、この周知の技術手段を採用することを阻害する要因はないから、これを採用して本願発明の相違点に係る構成とすることは当業者が容易に想到し得るものである。また、上記周知の技術手段を採用することにより奏する効果も予測し得る範囲のものである。
　
５．むすび
   したがって、本願発明は引用発明及び上記周知の技術手段に基いて当業者が容易に発明をすることができたものであるから、特許法第２９条第２項の規定により特許を受けることができない。
　よって、結論のとおり審決する。